(57)【特許請求の範囲】
【請求項１】
上部が開口されるとともに、内部にグリル庫が配置される筐体と、
前記筐体の側壁と前記グリル庫との間に架設される架設台と、
前記架設台に設けられたバーナ固定部に固定されるバーナ本体と、前記バーナ本体の上部に設けられるバーナヘッドとを備えるバーナと、
前記バーナヘッドを挿通させるバーナ開口を有し、前記筐体の上部に設置されることで前記バーナヘッドを前記バーナ開口の内側において上方に露出させる天板とを備えたこんろであって、
前記架設台は、
前記バーナ固定部と前記筐体の前記側壁側の端部との間において前記架設台から上方に突出し、且つ、前記架設台の前後方向に延びる突出部と、
前記突出部と前記筐体の前記側壁側の端部との間においてリブ状に突出し、且つ、前記架設台の前後方向に延びる第一突条部と
を備えることを特徴とするこんろ。
【請求項２】
前記架設台は、
前記突出部と前記バーナ固定部との間においてリブ状に突出し、且つ、前記架設台の前後方向に延びる第二突条部と、
前記架設台の前端縁部における前記第二突条部と前記グリル庫側の端部との間においてリブ状に突出し、且つ、前記第二突条部との間に左右方向に隙間を設けて前記架設台の左右方向に延びる第三突条部とを備えることを特徴とする請求項１に記載のこんろ。
【請求項３】
前記架設台の下方に設けられ、液体を受ける受部を備え、
前記受部は、平面視において前記第一突条部と前記突出部との間の領域の少なくとも一部に重なる位置に配置されることを特徴とする請求項１または２に記載のこんろ。
【請求項４】
前記受部は、前記筐体の内部に配置される電池ケースの上方を覆う位置に配置されることを特徴とする請求項３に記載のこんろ。
【請求項５】
前記受部は、
前方から後方に向けて下方に傾斜する傾斜部と、
前記傾斜部の前部に設けられ、前記筐体の前端部に固定される第一固定部と、
前記傾斜部において上方に延びて設けられ、前記架設台に固定される第二固定部とを備えることを特徴とする請求項４に記載のこんろ。
【請求項６】
前記受部は、前記傾斜部の後方に延設される面部を備え、
前記面部の少なくとも前記筐体の前記側壁側の端部は、上方に折り返されていることを特徴とする請求項５に記載のこんろ。
【請求項７】
前記バーナヘッドの近傍に配置される電装品を設置するための設置部を有し、前記架設台に取り付けられる取付座を備え、
前記取付座は、前記バーナ本体とともに前記バーナ固定部に固定され、
前記突出部は、前記架設台に対して取り付けられる取付部と、前記取付部から上方に立設される立設部と、前記立設部の上端から前記グリル庫側に向けて延設されるとともに、前記グリル庫側の端部が下方に折り返されて形成される折返部とを有し、
前記折返部の下端部は、前記取付座に上方から当接することを特徴とする請求項１から６のいずれかに記載のこんろ。
【発明の詳細な説明】
【技術分野】
【０００１】
本発明は、バーナ本体を固定するための機構を筐体の内部に備えるこんろに関する。
【背景技術】
【０００２】
従来、バーナ本体を固定するための機構を内部に備えた筐体と、筐体の上面に配置される天板とを備えるこんろが知られている。特許文献１に開示されたこんろは、バーナ本体を固定するための取付台を筐体の内部に備えている。取付台は、左右方向に延びる板状であり、筐体の側面と、筐体の内部の略中央に配置されたグリル庫との間に架設されている。また、こんろの天板には、一または複数のバーナ開口が設けられており、筐体に天板を取り付けた状態で、バーナ開口の内側にバーナヘッドが臨むように構成されている。バーナヘッドの炎口形成部は、天板よりも上方に配置される。天板におけるバーナ開口の周囲には、被加熱物をバーナヘッドの上方において支持する五徳が配置される。
【先行技術文献】
【特許文献】
【０００３】
【特許文献１】特開２０１２−３２０９７号公報
【発明の概要】
【発明が解決しようとする課題】
【０００４】
このようなこんろでは、例えば被加熱物から煮汁などの液体がこぼれた場合、バーナ開口とバーナヘッドとの間の隙間を介して、筐体の内部に液体が浸入することがある。浸入した液体が架設台の上に滴下すると、液体が架設台の上で広がり、広がった液体は、さらに架設台の上の様々な位置から筐体の内部へ滴下することがある。筐体の内部には、バーナにガス等の燃料を供給するための供給管、供給管からバーナ本体へ燃料を供給するための燃料供給機構および電池・ハーネス等の各種電装部品が配置される。これら供給管、燃料供給機構および電装部品に向けて架設台から液体が滴下すると、供給管が腐食したり、バーナ本体への燃料供給に不具合が生じたり、電気的なトラブルが生じたりする可能性があるといった問題がある。
【０００５】
本発明はこのような問題点を解決するためになされたものであり、筐体の内部にバーナを固定するための機構を設けても、筐体の内部への液体の侵入による不具合の発生を低減できるこんろを提供することを目的とする。
【課題を解決するための手段】
【０００６】
本発明の請求項１に係るこんろは、上部が開口されるとともに、内部にグリル庫が配置される筐体と、前記筐体の側壁と前記グリル庫との間に架設される架設台と、前記架設台に設けられたバーナ固定部に固定されるバーナ本体と、前記バーナ本体の上部に設けられるバーナヘッドとを備えるバーナと、前記バーナヘッドを挿通させるバーナ開口を有し、前記筐体の上部に設置されることで前記バーナヘッドを前記バーナ開口の内側において上方に露出させる天板とを備えたこんろであって、前記架設台は、前記バーナ固定部と前記筐体の前記側壁側の端部との間において前記架設台から上方に突出し、且つ、前記架設台の前後方向に延びる突出部と、前記突出部と前記筐体の前記側壁側の端部との間においてリブ状に突出し、且つ、前記架設台の前後方向に延びる第一突条部とを備えることを特徴とする。
【０００７】
【０００８】
請求項２に係るこんろは、請求項１に記載の構成に加えて、前記架設台は、前記突出部と前記バーナ固定部との間においてリブ状に突出し、且つ、前記架設台の前後方向に延びる第二突条部と、前記架設台の前端縁部における前記第二突条部と前記グリル庫側の端部との間においてリブ状に突出し、且つ、前記第二突条部との間に左右方向に隙間を設けて前記架設台の左右方向に延びる第三突条部とを備えることを特徴とする。
【０００９】
請求項３に係るこんろは、請求項１または２に記載の構成に加えて、前記架設台の下方に設けられ、液体を受ける受部を備え、前記受部は、平面視において前記第一突条部と前記突出部との間の領域の少なくとも一部に重なる位置に配置されることを特徴とする。
【００１０】
請求項４に係るこんろは、請求項３に記載の構成に加えて、前記受部は、前記筐体の内部に配置される電池ケースの上方を覆う位置に配置されることを特徴とする。
【００１１】
請求項５に係るこんろは、請求項４に記載の構成に加えて、前記受部は、前方から後方に向けて下方に傾斜する傾斜部と、前記傾斜部の前部に設けられ、前記筐体の前端部に固定される第一固定部と、前記傾斜部において上方に延びて設けられ、前記架設台に固定される第二固定部とを備えることを特徴とする。
【００１２】
請求項６に係るこんろは、請求項５に記載の構成に加えて、前記受部は、前記傾斜部の後方に延設される面部を備え、前記面部の少なくとも前記筐体の前記側壁側の端部は、上方に折り返されていることを特徴とする。
【００１３】
請求項７に係るこんろは、請求項１から６のいずれかに記載の構成に加えて、前記バーナヘッドの近傍に配置される電装品を設置するための設置部を有し、前記架設台に取り付けられる取付座を備え、前記取付座は、前記バーナ本体とともに前記バーナ固定部に固定され、前記突出部は、前記架設台に対して取り付けられる取付部と、前記取付部から上方に立設される立設部と、前記立設部の上端から前記グリル庫側に向けて延設されるとともに、前記グリル庫側の端部が下方に折り返されて形成される折返部とを有し、前記折返部の下端部は、前記取付座に上方から当接することを特徴とする。
【発明の効果】
【００１４】
こんろの筐体の内部には、バーナにガス等の燃料を供給するための供給管、供給管からバーナ本体へ燃料を供給するための燃料供給機構および電池・ハーネス等の各種電装部品が配置される。これらのうち、特に供給管および電装部品は、筐体内部の中央部よりも、筐体内部の側壁側に近接して配置されることが多い。請求項１に係るこんろは、架設台においてバーナ固定部と筐体の側壁部との間に突出部が設けられているので、バーナ開口を介して架設台に滴下した煮汁などの液体を、突出部によってせき止めることができる。これにより、架設台の上部において突出部よりも架設台における筐体の側壁側に向けて広がることが防止される。よって、架設台に液体が滴下した場合であっても、架設台から筐体内部の側壁側へ液体が滴下しにくい。バーナ開口から浸入した液体は、天板の下面を伝って、架設台における突出部よりも筐体の側壁側の位置に向けて滴下することがある。請求項１に係るこんろは、突出部と筐体の側壁側の端部との間に第一突条部が設けられているので、突出部よりも筐体の側壁側の位置に向けて滴下した液体が、第一突条部よりも架設台における筐体の側壁側に向けて広がりにくい。よって、架設台における突出部よりも筐体の側壁側の位置に向けて液体が滴下した場合であっても、架設台から筐体内部の側壁側へ液体が滴下することが防止される。従って、請求項１に係るこんろは、筐体の内部に架設台を設けても、筐体の内部への液体の侵入による不具合の発生を低減できる。
【００１５】
【００１６】
請求項２に係るこんろは、請求項１に記載の発明の効果に加えて、第二突条部を有しているので、バーナ開口を介して架設台に滴下した液体が、架設台において第二突条部よりも筐体の側壁側に向けて広がりにくい。また、架設台の前端縁部には、左右方向に延びる第三突条部が設けられているので第二突条部と第三突条部との間に広がる液体が架設台の前端縁部から液体が滴下する位置を、第二突条部と第三突条部との間に設けられる隙間の位置に規制できる。よって、架設台における第二突条部よりもグリル庫側の位置に向けて液体が滴下した場合であっても、架設台の前端縁部から液体が滴下する位置を特定の箇所に限定できる。
【００１７】
請求項３に係るこんろは、請求項１または２に記載の発明の効果に加えて、架設台の下方における第一突条部と突出部との間の領域の少なくとも一部に重なる位置に受部を備えるので、この領域から液体が滴下しても、液体は受部によって受け止められる。このため、バーナ開口を介して架設台における突出部よりも筐体の側壁側の位置に向けて液体が滴下した場合であっても、架設台を介して筐体内部の側壁側へ液体が滴下することが防止される。
【００１８】
筐体の内部には、電池ケースが配置されることがある。請求項４に係るこんろは、請求項３に記載の発明の効果に加えて、受部が電池ケースの上方を覆う位置に配置されるので、架設台から液体が滴下した場合であっても、架設台を介して電池ケースへ向けて液体が滴下することが防止される。
【００１９】
架設台の下方に受部を設ける場合、架設台の下方における作業が複雑であると、受部を着脱し難いことがある。請求項５に係るこんろは、請求項４に記載の発明の効果に加えて、受部の傾斜部が前方から後方に向けて下方に傾斜するので、傾斜部の前部の第一固定部を筐体の前端部に固定しやすい。また、傾斜部の第二固定部は架設台に向けて上方に延びて設けられるので、作業者は、筐体に対する受部の脱着を比較的容易に行える。また、受部は傾斜部を有しているので、受部の受けた液体は傾斜部に沿って受け流され、電池ケースにかかりにくい。
【００２０】
請求項６に係るこんろは、請求項５に記載の発明の効果に加えて、傾斜部の後方に面部が延設されているので、面部は傾斜部が受けた液体を傾斜部よりも後方で受けることができる。面部の少なくとも筐体の側壁側の端部は上方に折り返されているので、面部の受けた液体は、筐体の側壁側に滴下しにくい。よって、架設台を介して受部に液体が滴下した場合であっても、受部から筐体内部の側壁側へ液体が滴下しにくい。
【００２１】
請求項７に係るこんろは、請求項１から６のいずれかに記載の発明の効果に加えて、バーナヘッドの近傍に配置される電装品を設置するための設置部を有する取付座を有する。突出部に設けられる折返部の下端部が取付座の上方から当接し、取付座が架設台と折返部の下端部とによって上下に挟持されるので、架設台に対して取付座が安定化する。
【図面の簡単な説明】
【００２２】
【図１】こんろ１の斜視図である。
【図２】トッププレート３の斜視図である。
【図３】筐体２の斜視図である。
【図４】取付台６０、取付座７０、突出部８０およびガスバーナ５の分解斜視図である。
【図５】取付台６０の平面図である。
【図６】取付台６０に取付座７０、突出部８０およびガスバーナ５が取り付けられた状態を示す正面図である。
【図７】筐体２の拡大斜視図である。
【図８】カバー部９０の平面図である。
【図９】カバー部９０の右側面図である。
【図１０】筐体２における配管部２８、電池ケース１４、基板ケース２９および火力調節装置５Ｆ，７Ｆの配置を示す平面図である。
【発明を実施するための形態】
【００２３】
以下、本発明の実施形態について、図面を参照して説明する。以下説明は、図中に矢印で示す上下、左右、前後を使用する。なお、図１に示すテーブルこんろ１（以下、単に、こんろ１と称する。）は、テーブルこんろであるが、ビルトインこんろ等であってもよい。
【００２４】
図１を参照して、こんろ１の構造について説明する。こんろ１は、器具本体を構成する筐体２と、トッププレート３とを備える。筐体２は、上面に開口部２５（図３参照）を備え、略直方体状に形成された金属製である。筐体２の内部には、左右一対のガスバーナ５，５が配置されている。トッププレート３は、筐体２の開口部２５を閉塞して、筐体２の上部に固定されている。トッププレート３には、左右一対の略円形のバーナ開口４，４が形成されており、トッププレート３が筐体２の上部に設置されることで、ガスバーナ５が筐体２側から上方に突出して、各バーナ開口４の中央に臨む。ガスバーナ５，５の各周囲には、五徳６，６がそれぞれ配置されている。五徳６，６の各上部には、鍋、フライパン等を含む調理器具等の被加熱物（図示せず）が載置される。
【００２５】
ガスバーナ５は、筐体２の内部に配置されたバーナ本体５０（図３参照）と、バーナヘッド５２とを主に備える。バーナ本体５０の上部にバーナヘッド５２が載置されることで、バーナヘッド５２の外周部に多数の炎口５１が形成される。バーナヘッド５２の中央には、内部にサーミスタを格納し、鍋底温度等、被加熱物の温度を検知するための鍋センサ５３が、バーナヘッド５２およびバーナ本体５０の中央を貫通するように設けられている。バーナヘッド５２後方の炎口５１近傍には、放電による点火を行うための点火電極５４（図４参照）および火炎の有無を検知するための熱電対５５（図４参照）が設けられている。
【００２６】
筐体２の正面中央には、グリル扉１０が設けられている。グリル扉１０の下部には、取っ手１０Ａが前方に突出して設けられている。こんろ１の使用者は、取っ手１０Ａを把持してグリル扉１０を引き出すことで、グリル庫７（図３参照）を開閉できる。トッププレート３の後方には、複数の排気孔を備える排気口カバー７Ｂが設置されている。排気口カバー７Ｂは、後述のグリル排気口７Ａ（図２参照）を上側から覆うカバー部材である。
【００２７】
グリル扉１０の右側には、点火スイッチ１１，１２等がそれぞれ設けられている。点火スイッチ１１は、グリル扉１０の右側に隣接して設けられ、右側のガスバーナ５の点火／消火の操作を行う。点火スイッチ１２は、点火スイッチ１１の右隣に設けられ、グリル庫７に設けられたグリルバーナ７Ｅ（図３参照）の点火／消火の操作を行う。
【００２８】
グリル扉１０の左側には、点火スイッチ１３、電池ケース１４等がそれぞれ設けられている。点火スイッチ１３は、グリル扉１０の左側に隣接して設けられ、左側のガスバーナ５の点火／消火の操作を行う。電池ケース１４は、点火スイッチ１３の左隣に設けられ、その内部１４Ａ（図１０参照）には、こんろ１の電源として、例えば二つの乾電池（図示せず）を前後方向に沿って並べて格納する。
【００２９】
図２を参照して、トッププレート３の構造について説明する。トッププレート３は、筐体２上面の開口部２５に対応する大きさの矩形状に形成されている。トッププレート３は、例えばホーロー加工された一枚の板金をプレス加工することで形成される。トッププレート３の上面３１の外周縁部を除く領域には、一段下方に低くなった平面視略長方形状の凹部３２が設けられている。凹部３２には、バーナ開口４，４が形成されている。凹部３２においてバーナ開口４，４およびその周辺部は、それぞれ同じ構成を備える。
【００３０】
バーナ開口４の周縁部には、五徳装着部３３が設けられている。五徳装着部３３は、トッププレート３に五徳６を配置するために設けられる部位であり、平面視略円形状に形成され、凹部３２よりも上方に膨出する。五徳装着部３３には、五徳６の五徳リング６Ａが上方から装着される。なお、五徳装着部３３の後側には、点火電極５４および熱電対５５の設置位置に対応してバーナ開口４に連続して窪み、点火電極５４および熱電対５５を五徳装着部３３の下側から上側へ挿通させる挿通部３３４，３３５が設けられている。
【００３１】
トッププレート３の後方には、左右に延びる略長方形状の孔部であるグリル排気口７Ａが設けられている。グリル排気口７Ａは、グリル庫７と連通して、グリル庫７内部の排気を行う。グリル排気口７Ａの左右の両側には、排気口カバー７Ｂを位置決めするための複数の孔部７Ｄが設けられている。トッププレート３の外縁には、上面３１から延設された板金が筐体２上部の外周に沿うように下方に折り返された外周部３９が設けられている。トッププレート３は、外周部３９の複数の所定位置においてねじ止めされて、筐体２の上部に固定されている。こんろ１は、トッププレート３を筐体２に固定するためのねじ止め部分を上面３１および凹部３２に設けていないので、上側から見たトッププレート３の美観が保たれる。また、こんろ１は、煮こぼれを直接に受けにくい外周部３９にねじ止め部分を設けているので、ねじ孔の隙間を介して煮こぼれ等の液体が浸入し難い。
【００３２】
図３を参照して、筐体２の内部構造について説明する。筐体２は、前壁２１、右側壁２２、左側壁２３、後壁２４、底壁（図示せず）を備える。前壁２１、右側壁２２、左側壁２３、後壁２４によって囲まれてなる筐体２の開口部２５の内側に、グリル庫７、一対の取付台６０，６０、ガスバーナ５，５、カバー部９０等が備えられている。グリル庫７は、開口部２５の略中央に配置される略直方体状である。グリル庫７の後部には、グリル庫７の内部と前述のグリル排気口７Ａとに連通してグリル庫７の燃焼排気をこんろ１の外部へ排出するための排気部７Ｃが設けられている。なお、グリル庫７の上方には、グリル庫７の熱がトッププレート３に伝導することを防止するための遮熱板４０（図１０参照）が設けられるが、図３では遮熱板４０の図示を省略している。
【００３３】
一対の取付台６０，６０は、筐体２の左部および右部から開口部２５の内側へ向けて延び、筐体２の内部にガスバーナ５，５を固定するための骨組である。左側の取付台６０は、開口部２５の前後方向における略中央において、左側壁２３とグリル庫７との間に架設される。右側の取付台６０は、開口部２５の前後方向における略中央において、右側壁２２とグリル庫７との間に架設される。取付台６０は、前後方向において対称となるように形成されており、左側の取付台６０と右側の取付台６０は同一形状である。左側の取付台６０は左側のガスバーナ５を、右側の取付台６０は右側のガスバーナ５を、それぞれの上部において支持する。一対の取付台６０，６０は、左側壁２３および右側壁２２とグリル庫７とを架設することで、こんろ１全体の強度を向上する役割も担う。一対の取付台６０，６０の左側壁２３側および右側壁２２側の端部には、垂直上方に延びる壁部６１３が立設されている。壁部６１３は、取付台６０が左側壁２３とグリル庫７との間に架設されるときに左側壁２３に当接して、取付台６０を左右方向において位置決めする。一対の取付台６０，６０のグリル庫７側の端部には、前後方向に所定の長さを有して垂直上方に延びる壁部６１４と、壁部６１４の上端から筐体２の内側に向かって略水平に延びる上側部６１５とが設けられている。
【００３４】
ガスバーナ５，５は、後述する取付座７０（図４参照）を介して、一対の取付台６０，６０のそれぞれに対してねじ止めによって取り付けられている。ガスバーナ５のバーナ本体５０の下部には、ガスと空気の混合気をバーナ本体５０に向けて通過させる混合管部５６の後端が接続されている。混合管部５６は、前方から後方に向かって上方に傾斜しながら略前後方向に沿って延びる。混合管部５６の前端は火力調節装置５Ｆ（図１０参照）に接続している。火力調節装置５Ｆは、点火スイッチ１１，１３等の操作に応じて混合管部５６にガスを供給するとともに、ガスバーナ５の燃焼火力を調節する装置であり、前壁２１と混合管部５６の前端との間に設置されている。カバー部９０は、電池ケース１４が筐体２の内部において前後に延びる方向に沿って設けられ、電池ケース１４の上方を覆う部材である。カバー部９０の詳細については後述する。
【００３５】
図４から図６を参照して、取付台６０の詳細構造について説明する。なお、左側の取付台６０と右側の取付台６０とは同一形状であるので、図４から図６では、左側の取付台６０を示し、右側の取付台６０についての説明を省略している。図６では、取付台６０に取り付けられる各部材の構造を明示するため、混合管部５６の図示を省略している。取付台６０は、左右方向に延びる金属製の帯状である。取付台６０には、センサ開口６１２、支持台６２，６３、第一突条部６６、第二突条部６７および第三突条部６８が設けられている。センサ開口６１２は、鍋センサ５３を取付台６０に挿通させるため、取付台６０の上面６１略中央に形成された平面視略長方形状の孔部である。
【００３６】
支持台６２，６３は、後述の取付座７０を支持するための部位である。支持台６２は、センサ開口６１２の左側に設けられている。支持台６２は、上面６１の一部が上方に折り曲げられて立設する立設部６２１と、立設部６２１の上端から左方に略水平に延びる板状の上側固定部６２２とを備える。支持台６３は、センサ開口６１２の右側に設けられており、センサ開口６１２を挟んで支持台６２と対向している。支持台６３は、上面６１の一部が上方に折り曲げられて立設する立設部６３１と、立設部６３１の上端から右方に略水平に延びる板状の上側固定部６３２とを備える。上側固定部６２２，６３２には固定穴６２３，６３３がそれぞれ設けられている。固定穴６２３，６３３は、取付座７０を介してバーナ本体５０をねじ止めするためのねじ孔である。なお、上面６１のうち壁部６１３と支持台６２との間の部分には、後述する突出部８０をねじ止めするための固定穴６１１が設けられている。
【００３７】
第一突条部６６は、上面６１における固定穴６１１と壁部６１３との間の位置において上方にリブ状に突出し、且つ、取付台６０の前後方向に延びる直線状の突条である。第二突条部６７は、上面６１における上側固定部６２２の固定穴６２３と固定穴６１１との間の位置において上方にリブ状に突出し、且つ、取付台６０の前後方向に延びる直線状の突条である。第二突条部６７は、支持台６２の左側に隣接して設けられている開口部６１７を跨いで前後方向に延びている。二つの第三突条部６８，６８は、取付台６０の前端縁および後端縁において上方にリブ状に突出し、且つ、取付台６０の左右方向に延びる直線状の突条である。二つの第三突条部６８，６８の右端は、取付台６０の右端の近傍まで延びている。二つの第三突条部６８，６８の左端は、センサ開口６１２の左縁と左右方向略同じ位置まで延びており、二つの第三突条部６８，６８の左端と第二突条部６７との間の上面６１には、左右方向に隙間６１６が設けられている。なお、第一突条部６６と壁部６１３との間の位置における取付台６０の前端縁には、後述のカバー部９０を固定するための固定穴６２０が設けられている。
【００３８】
図４に示すように、取付台６０には、取付座７０、ガスバーナ５および突出部８０が取り付けられる。取付座７０は、ガスバーナ５、鍋センサ５３、点火電極５４および熱電対５５を取付台６０に固定するための部材である。取付座７０は、平面視略長方形状であり、前端部の左右方向略中央が後方に切り欠かれた金属製である。取付座７０は、第一固定部７２、第二固定部７３、第三固定部７６および下方延出部７７を備える。第一固定部７２は、取付座７０後部の左右方向略中央に設けられ、点火電極５４を取付座７０に固定する。第二固定部７３は、取付座７０後部において第一固定部７２の右側に設けられ、熱電対５５を取付座７０に固定する。第三固定部７６は、取付座７０前部の左右方向略中央において下方に延設され、鍋センサ５３を取付座７０に固定する。下方延出部７７は、取付座７０の右端が前後方向に所定の長さを有して下方に折り曲げられて形成されている。なお、取付座７０の左部には固定穴７４１、右部には固定穴７５１がそれぞれ設けられている。
【００３９】
取付台６０に取付座７０を取り付ける場合、取付台６０の上側固定部６２２に設けられている固定穴６２３と、取付座７０の固定穴７４１とが上下方向に重なり合うように位置決めされる。また、上側固定部６３２に設けられている固定穴６３３と、取付座７０の固定穴７５１とが上下方向に重なり合うように位置決めされる。そして、固定穴６２３，６３３に固定穴７４１，７５１が重なり合った状態で、支持台６２，６３の上に取付座７０が載置される。
【００４０】
ガスバーナ５のバーナ本体５０の左右の側部には、固定穴５７１，５８１をそれぞれ有するフランジ部５７，５８がそれぞれ設けられている。バーナ本体５０を取付台６０に取り付ける場合、フランジ部５７の固定穴５７１が、上側固定部６２２の固定穴６２３および左側板部７４の固定穴７４１に対して、上下方向に重なるように位置決めされる。また、フランジ部５８の固定穴５８１が、上側固定部６３２の固定穴６２３および右側板部７５の固定穴７５１に対して、上下方向に重なるように位置決めされる。そして、図示しないねじが、上側固定部６２２の固定穴６２３および取付座７０の固定穴７４１を介して、フランジ部５７の固定穴５７１にねじ止めされる。また、図示しないねじが、上側固定部６３２の固定穴６３３および取付座７０の固定穴７５１を介して、フランジ部５８の固定穴５８１にねじ止めされる。その後、バーナヘッド５２がバーナ本体５０の上部に配置される。
【００４１】
突出部８０は、取付台６０に対して取付座７０の左側、即ち取付台６０にバーナ本体５０が取り付けられる固定穴６２３，６３３よりも左側に取り付けられ、上面６１に対して上方に突出して設けられる部分である。突出部８０は、取付台６０の前後方向の長さと略同じ長さに前後方向に沿って延びる金属製の板が、上方へ突出する段部を形成するように所定の幅で折り曲げられて形成されている。突出部８０は、基部８１、壁部８２、上面部８３、折曲部８４を備える。基部８１は、突出部８０の最下部において略水平に延びる面部である。基部８１の略中央部には図示しないねじ孔が設けられている。取付台６０にガスバーナ５が取り付けられた後、基部８１が第一突条部６６と第二突条部６７との間に配置され、ねじ８０Ａによってねじ孔を介して取付台６０の固定穴６１１にねじ止めされる。壁部８２は、突出部８０が取付台６０に取り付けられた状態で第一突条部６６と第二突条部６７との間の位置において、基部８１から略垂直上方に延びる面部である。上面部８３は、壁部８２の上端から右方へ略水平に延びる面部である。折曲部８４は、第二突条部６７の上方において、上面部８３の右端が略垂直下方に折り曲げられて形成されている。
【００４２】
図６に示すように、取付台６０に取付座７０、ガスバーナ５および突出部８０が取り付けられると、突出部８０の折曲部８４の下端８４１が、取付座７０の左端縁に上側から当接する。これにより、取付座７０の左端縁が、取付台６０の上側固定部６２２と突出部８０の折曲部８４の下端８４１とによって上下に挟持される。折曲部８４の下端８４１は、取付台６０の前後方向の長さと略同じ長さに前後方向に沿って延びているので、上側固定部６２２と突出部８０の折曲部８４の下端８４１とが取付座７０の左端縁を挟持することで、取付座７０が前後方向に傾きにくくなる。従って、取付座７０が取付台６０に安定して取り付けられ、取付座７０に取り付けられた鍋センサ５３、点火電極５４および熱電対５５が、バーナ本体５０に対して精度良く配置される。
【００４３】
こんろ１が使用されると、煮こぼれ等によりトッププレート３の上側において生じた液体がバーナ開口４を介して筐体２の内部に浸入し、浸入した液体がバーナ開口４の下方に位置する取付台６０に向けて滴下することがある。取付台６０に設けられた突出部８０は、バーナ開口４から取付台６０へ向けて滴下しようとする液体を折曲部８４において受け止めることができる。折曲部８４によって受け止められた液体は、折曲部８４に沿って下方へ流れた後、折曲部８４の下端から取付座７０の上側に到達するか、折曲部８４の下端から取付台６０に向けて滴下する。このようにして、突出部８０は、取付台６０において折曲部８４よりも右方の位置に液体を導くことができる。取付座７０の上側に到達した液体は、取付座７０の上側にそのまま留まるか、取付座７０中央部の切欠き部分を介して取付台６０に向けて滴下する。取付座７０を介して、または折曲部８４の下端から取付台６０に向けて滴下した液体は、センサ開口６１２または開口部６１７を介して取付台６０よりも下方の筐体２内部に滴下するか、上面６１に留まる。
【００４４】
上面６１において折曲部８４よりも右方に位置する液体は、第二突条部６７にせき止められて、第二突条部６７よりも左方へ広がることが阻害される。第二突条部６７の右方の上面６１に留まる液体の量が増加するにつれて、液体は第二突条部６７よりも右方に広がる。これに伴い第三突条部６８の位置まで右方に広がった液体は、第三突条部６８にせき止められて、第三突条部６８よりも取付台６０の前端縁側または後端縁側へ広がることが阻害される。このため、第二突条部６７から第三突条部６８へ向けて広がった液体は、センサ開口６１２、開口部６１７から取付台６０の下方に滴下するか、隙間６１６を介して取付台６０の前端縁または後端縁から取付台６０の下方に滴下する。なお、第三突条部６８の右端よりも右方へ広がった液体は、壁部６１４の左側に隣接して取付台６０の前端縁および後端縁において上方に延出する延出部６１９にせき止められる。延出部６１９にせき止められた液体は、例えば支持台６３の右側に隣接して設けられている開口部６１８を介して取付台６０よりも下方に滴下する。即ち、第二突条部６７よりも右方に広がった液体が、取付台６０の前端縁および後端縁から滴下する位置は、隙間６１６が配置されている位置に限定される。
【００４５】
また、第二突条部６７の右側の近傍に多くの液体が集まった場合、液体が第二突条部６７を乗り越えて第二突条部６７の左側へ広がることがある。第二突条部６７の左側には、取付台６０の前後方向に亘って突出部８０の壁部８２が立設しているので、第二突条部６７よりも左方へ広がった液体は壁部８２によってせき止められる。壁部８２にせき止められた液体は、取付台６０の壁部８２と第二突条部６７との間における前端縁および後端縁から、または、開口部６１７を介して、取付台６０の下方へ滴下する。
【００４６】
また、例えば煮こぼれの量が比較的多い場合等に、バーナ開口４から浸入した液体がトッププレート３の下面を伝って突出部８０の上面部８３の上側に滴下したり、上面部８３よりも左方の位置において取付台６０に滴下したりすることがある。上面部８３の上側に滴下した液体は、上面部８３の上側に留まるか、折曲部８４に沿って折曲部８４の下端へ流れるか、壁部８２に沿って基部８１へ向けて流れる。壁部８２に沿って基部８１へ向けて流れた液体および壁部８２よりも左方の位置において基部８１に向けて滴下した液体は、第一突条部６６にせき止められて、第一突条部６６よりも左方へ広がることが阻害される。壁部８２と第一突条部６６との間を広がる液体は、壁部８２と第一突条部６６との間にそのまま留まるか、取付台６０の壁部８２と第一突条部６６との間における前端縁および後端縁から取付台６０の下方へ滴下する。なお、第一突条部６６よりも左方の位置において液体が取付台６０に向けて滴下したり、第一突条部６６の右側において広がる液体が第一突条部６６を乗り越えて第一突条部６６の左側へ広がったりすることがある。このような液体が第一突条部６６より左方において取付台６０の下方へ滴下する可能性もあるが、本実施形態では突出部８０が所定の高さを有していることから、その可能性は僅かである。
【００４７】
このようにして、取付台６０は、第一突条部６６、第二突条部６７、第三突条部６８、突出部８０等の配置の工夫により、取付台６０に滴下して上面６１において広がった液体が、取付台６０から下方に滴下する位置を限定している。特に、取付台６０は、取付台６０の前端縁および後端縁から液体が滴下する位置を、壁部８２と第一突条部６６との間の位置、壁部８２と第一突条部６６との間の位置、および隙間６１６の配置される位置に限定している。なお、第一突条部６６、第二突条部６７および第三突条部６８は、取付台６０の強度を向上する役割も担う。
【００４８】
次いで、図３、図７から図９を参照して、カバー部９０について説明する。カバー部９０は、その長手方向が前後方向に沿って延びる平面視縦長長方形状の金属製であり、電池ケース１４の上方を覆うカバー部材である。カバー部９０の左右方向の長さは、電池ケース１４の左右方向の長さより僅かに長くされている（図１０参照）。
【００４９】
図８および図９に示すように、カバー部９０は、傾斜部９１および平面部９２を備える。傾斜部９１は、前方から後方に向かって下方に傾斜する面部であり、カバー部９０の前部を構成する。傾斜部９１の前端は取付台６０の上面６１よりも上方に配置され、傾斜部９１の後端は取付台６０よりも下方に配置される。傾斜部９１の前端の左右方向略中央には、第一固定部９１３が設けられている。
【００５０】
傾斜部９１の前部の略中央には、傾斜部９１を貫通して傾斜部９１前端縁から傾斜部９１の長手方向の略中間位置まで平面視略長方形状に延びる孔部９１１が設けられている。傾斜部９１の左右の端部には、略垂直上方に僅かに延出する一対のガイド部９１２，９１２が設けられている。一対のガイド部９１２，９１２は、傾斜部９１の左右の端部が傾斜部９１の上面に対して略垂直上方に折曲して形成されている。傾斜部９１の長手方向の後端部近傍には、左側のガイド部９１２に連設して上方に延びる第二固定部９３が設けられている。
【００５１】
平面部９２は、傾斜部９１と左右方向において同じ幅で傾斜部９１の後端に連設して傾斜部９１の後端から後方に向かって略水平に延びる面部であり、カバー部９０の後部を構成する。平面部９２は、取付台６０をくぐるように取付台６０の下方を延び、平面部９２の後端は、取付台６０の後端よりもやや後方に配置される（図１０参照）。平面部９２の左端部には、ガイド部９１２と同じ高さで略垂直上方に延出する左ガイド部９２１が設けられている。平面部９２の後端部には、左ガイド部９２１と同じ高さで略垂直上方に延出する後ガイド部９２３が設けられている。左ガイド部９２１および後ガイド部９２３は、平面部９２の左端および後端が平面部９２の上面に対して略垂直上方に折曲して形成されている。一方、平面部９２の右端部には、平面部９２から下方に所定長さ延出する右ガイド部９２２が設けられている。右ガイド部９２２は、平面部９２の右端が平面部９２の上面に対して略垂直下方に折曲して形成されている。
【００５２】
図７に示すように、カバー部９０は、第一固定部９１３および第二固定部９３によって筐体２の内部に固定される。第一固定部９１３は、傾斜部９１の上面から上方に突出するとともに筐体２の前壁２１の上端縁の位置で前側に折曲し、前方に延びている。第一固定部９１３の前端部は、前壁２１の上端縁に設けられている差込孔２１１に差し込まれて前壁２１に固定される。差込孔２１１は、前壁２１上端縁の電池ケース１４と左右方向略同じ位置において、第一固定部９１３の前端部の左右方向の長さと略同じ長さで設けられたスリット部である。
【００５３】
第二固定部９３は、ガイド部９１２から略垂直上方に延びる垂直部９３１と、垂直部９３１の上端から後方へ略水平に延びる水平部９３２とを備えている。水平部９３２には固定穴９３３が設けられており、第二固定部９３は、固定穴９３３を介して取付台６０の固定穴６２０（図４参照）に対してねじ９３３Ａを用いてねじ止めされることで、取付台６０に固定される。作業者は、取付台６０が筐体２に取り付けられた状態で、平面部９２を取付台６０にくぐらせながらカバー部９０を固定する作業を行う。第一固定部９１３は傾斜部９１の最上部である前端部に設けられており、第二固定部９３が傾斜部９１から取付台６０の位置まで上方に延びている。このため、作業者は、例えば取付台６０の下方へ手を深く差し入れることなく、第一固定部９１３および第二固定部９３においてカバー部９０を容易に固定できる。また、第二固定部９３が傾斜部９１の後部から上方に延びて取付台６０に固定されるので、平面部９２の取付台６０の下方をくぐる姿勢が保たれる。このように、カバー部９０は、前後方向に第一固定部９１３および第二固定部９３によって、前後に異なる位置において筐体２の内部に固定されるので、カバー部９０は、筐体２の内部に安定して固定される。
【００５４】
カバー部９０の左右方向の長さは、電池ケース１４の左右方向の長さより僅かに長くされている。カバー部９０は、取付台６０の先端縁から下方に滴下する液体を電池ケース１４の上方で受け止めて、電池ケース１４に向けて液体が滴下することを防止している。カバー部９０は、取付台６０の第一突条部６６と第二突条部６７との間の領域と左右方向において重なる位置に傾斜部９１および平面部９２を配置している。このため、取付台６０の第一突条部６６と壁部８２との間の位置および壁部８２と第二突条部６７との間の位置の前端縁および後端縁から取付台６０の下方へ滴下する液体は、傾斜部９１または平面部９２に受け止められる。
【００５５】
傾斜部９１に受け止められた液体は、傾斜部９１の傾斜する方向に沿って下方へ流れ、平面部９２に受け止められる。このとき、傾斜部９１には一対のガイド部９１２，９１２が設けられているので、傾斜部９１の左右の端部から電池ケース１４に向けて液体が滴下することが防止される。なお、傾斜部９１の孔部９１１は、カバー部９０の右側に隣接配置されているガスバーナ５において燃焼が行われるときに、燃焼に必要な空気が混合管部５６およびバーナ本体５０の近傍へ向けて円滑に供給されるようにするために設けられている。本実施形態では、事前の実験等によって、孔部９１１の位置および大きさを、バーナ開口４から筐体２の内部へ多量の液体が流れ込んだ場合にも傾斜部９１の孔部９１１を介して傾斜部９１から下方に液体が滴下しないものとしている。
【００５６】
平面部９２に受け止められた液体は平面部９２の上面に留まり、平面部９２の上面に留まる液体の量が増加するにつれて、液体は平面部９２の上面において広がる。このとき、平面部９２には左ガイド部９２１および後ガイド部９２３が設けられているので、平面部９２の左端および後端から電池ケース１４に向けて液体が滴下することが防止される。このため、平面部９２の上面を広がる液体は、平面部９２の右端から右ガイド部９２２に沿って下方へ流れて、右ガイド部９２２の下端から筐体２の内部に向けて滴下する。このように、カバー部９０によって受け止められた液体がカバー部９０から下方へ滴下する位置が、平面部９２の右ガイド部９２２の位置に限定されている。
【００５７】
図１０を参照して、筐体２の内部における配管部２８および電装品の配置について説明する。なお、図１０では、筐体２の内部をわかりやすくするために、筐体２の内部に配置される部品の一部または全部が適宜省略して示されている。このため、図１０には、グリル庫７の内部７Ｇや、電池ケース１４の内部１４Ａ等も示されている。筐体２の右側壁２２、左側壁２３、後壁２４に沿って、また、グリル庫７の左右を挟むようにして、ガスバーナ５，５およびグリルバーナ７Ｅにガスを供給するための複数の配管部２８が配置されている。
【００５８】
前壁２１とガスバーナ５，５の混合管部５６，５６の前端との間には、火力調節装置５Ｆ，５Ｆが配置されている。右側の火力調節装置５Ｆの右側には、グリルバーナ７Ｅに用いられる火力調節装置７Ｆが配置されている。火力調節装置５Ｆ，７Ｆには、図示しない安全弁、流量調整弁等、電気的に制御される部位が内部に設けられている。電池ケース１４は、前壁２１から後方へ向かって、例えば乾電池１個分の左右幅を有して、左側壁２３に隣接して筐体２の内部を延びている。電池ケース１４よりも後方の筐体２の左奥には、基板ケース２９が左側壁２３および後壁２４に隣接して配置されている。基板ケース２９は、図示しない制御基板を内部に格納している。制御基板は、電池ケース１４、鍋センサ５３、点火電極５４、熱電対５５、火力調節装置５Ｆ，７Ｆ等と電気的に接続して、こんろ１の燃焼動作を制御する。
【００５９】
このような筐体２の内部における配管部２８および電装品の配置を踏まえて、バーナ開口４を介して取付台６０に滴下した液体が、上面６１において第一突条部６６よりも取付台６０の左側壁２３側および右側壁２２側の端部に向けて広がりにくくされている。取付台６０の左側壁２３側および右側壁２２側の端部の近傍から取付台６０の下方へ液体が滴下することが防止されているので、筐体２の左側壁２３および右側壁２２に隣接配置されている配管部２８に向けて取付台６０から液体が滴下し難い。このため、筐体２の内部を滴下する液体によって配管部２８が汚染されたり、汚染に起因して配管部２８が腐食したりすることが防止されている。また、取付台６０に第三突条部６８および延出部６１９が配置されている位置の前端縁および後端縁からも液体が滴下し難くされている。このため、グリル庫７の左右を隣接して前後方向に沿って延びる配管部２８に向けて液体が滴下し難く、配管部２８の汚染、腐食等が防止される。また、第三突条部６８および延出部６１９の左右方向における位置は、火力調節装置５Ｆの左右方向における位置に対応しているので、取付台６０の前縁部から火力調節装置５Ｆに向けて液体が滴下し難い。このため、火力調節装置５Ｆに液体の付着による不具合が生ずることが防止される。
【００６０】
また、取付台６０の第一突条部６６よりも取付台６０の左側壁２３側から取付台６０の下方へ液体が滴下することが防止されているので、左側壁２３に隣接配置されている電池ケース１４および基板ケース２９に向けて取付台６０から液体が滴下し難い。取付台６０の壁部８２と第一突条部６６との間の位置、壁部８２と第一突条部６６との間の位置における前端縁および後端縁から滴下する液体は、カバー部９０によって受け止められる。カバー部９０の傾斜部９１には一対のガイド部９１２，９１２が設けられているので、傾斜部９１において受け止められた液体は、傾斜部９１の左右の端部から下方に滴下し難い。また、平面部９２には左ガイド部９２１および後ガイド部９２３が設けられているので、平面部９２が取付台６０から直接受け止めた液体および傾斜部９１から流れて平面部９２に至った液体は、平面部９２から配管部２８、電池ケース１４および基板ケース２９の配置される左側壁２３および後壁２４側に向けて滴下し難い。このため、カバー部９０に受け止められて平面部９２に溜まった液体は、右ガイド部９２２の位置から下方に流れるが、この位置には配管部２８、電池ケース１４、基板ケース２９および火力調節装置５Ｆ，７Ｆが配置されていない。よって、右ガイド部９２２の位置から下方に向けて液体が滴下しても、滴下した液体は電池ケース１４、基板ケース２９および火力調節装置５Ｆ，７Ｆに付着し難い。このため、電池ケース１４、基板ケース２９および火力調節装置５Ｆ，７Ｆに液体が浸入することに起因する電気系統のショートや、液体に起因する汚染・腐食等による不具合等の電気的なトラブルが回避される。
【００６１】
また、取付台６０に設けられた隙間６１６の部分における前端縁および後端縁から液体が滴下することがあるが、この位置には配管部２８、電池ケース１４、基板ケース２９および火力調節装置５Ｆ，７Ｆが配置されていない。このため、配管部２８、電池ケース１４、基板ケース２９および火力調節装置５Ｆ，７Ｆに不具合が生ずることが防止される。このように、こんろ１は、取付台６０から液体が滴下する位置を限定し、さらにカバー部９０を筐体２の内部に配置することで、配管部２８、電池ケース１４、基板ケース２９および火力調節装置５Ｆ，７Ｆに液体が付着することを効果的に防止している。
【００６２】
以上説明したように、こんろ１の筐体２の内部には、配管部２８、電池ケース１４、基板ケース２９および火力調節装置５Ｆ，７Ｆ等が配置される。本実施形態では、筐体２の右側壁２２、左側壁２３、後壁２４に沿って、また、グリル庫７の左右を挟むようにして、複数の配管部２８が配置されている。また、前壁２１に近接して火力調節装置５Ｆ，７Ｆが、左側壁２３および後壁２４に隣接して基板ケース２９が、前壁２１および左側壁２３に隣接して電池ケース１４がそれぞれ配置されている。こんろ１では、左側の取付台６０の固定穴６２３，６３３よりも左側壁２３側に、また、右側の取付台６０の固定穴６２３，６３３よりも右側壁２２側に、突出部８０が取り付けられている。突出部８０は、上面６１に対して上方に突出しており、バーナ開口４を介して取付台６０に向けて滴下する液体を折曲部８４で受け止めて取付座７０の上側または取付台６０の折曲部８４よりもグリル庫７側の位置に導く。また、上面から立設する壁部８２において取付台６０の上面６１における液体をせき止めて、壁部８２よりも左側壁２３側または右側壁２２側に液体が広がることを阻害している。よって、取付台６０に液体が滴下した場合に、取付台６０の突出部８０よりも左側壁２３側または右側壁２２側の位置における前端縁および後端縁から下方の筐体２内部に液体が滴下することが防止される。よって、配管部２８、電池ケース１４、基板ケース２９および火力調節装置５Ｆ，７Ｆ等に液体が付着し難い。こんろ１は、取付台６０から液体が滴下する位置を限定して、取付台６０から液体が滴下することに起因してこんろ１燃焼動作に不具合が発生すること低減している。
【００６３】
バーナ開口４から浸入した液体がトッププレート３の下面を伝って突出部８０の上面部８３よりも左側壁２３側または右側壁２２側の位置において取付台６０に滴下することがある。第一突条部６６は、取付台６０において突出部８０の壁部８２よりも左側壁２３側または右側壁２２側の位置に設けられている。このため、壁部８２よりも左側壁２３側または右側壁２２側の位置に滴下した液体は、第一突条部６６にせき止められ、第一突条部６６を乗り越えて広がり難い。よって、取付台６０において突出部８０の壁部８２よりも左側壁２３側または右側壁２２側の位置に液体が滴下した場合であっても、取付台６０の第一突条部６６よりも左側壁２３側または右側壁２２側の位置から取付台６０の下方に液体が滴下することが防止される。
【００６４】
取付台６０に第二突条部６７が設けられているので、取付台６０の上面６１に至った液体は、第二突条部６７にせき止められて、第二突条部６７よりも左方へ広がることが阻害される。このため、第二突条部６７の右方の上面６１に留まる液体の量が増加するにつれて、液体は第二突条部６７よりも右方に広がる。これに伴い第三突条部６８の位置まで右方に広がった液体は、第三突条部６８にせき止められるので、第三突条部６８の配置される位置における取付台６０の前端縁および後端縁からは液体が滴下し難い。このため、第二突条部６７および第三突条部６８にせき止められた液体は、第二突条部６７と第三突条部６８との間に設けられている隙間６１６を介して、取付台６０の前端縁および後端縁から滴下しやすくなる。このような第二突条部６７および第三突条部６８の配置によって、こんろ１は、取付台６０の前端縁および後端縁から液体が滴下しやすい位置を、隙間６１６の位置に限定できる。
【００６５】
カバー部９０は、取付台６０の第一突条部６６と第二突条部６７との間の領域と左右方向において重なる位置に傾斜部９１および平面部９２を配置している。このため、カバー部９０は、取付台６０の第一突条部６６と壁部８２との間の位置および壁部８２と第二突条部６７との間の位置の前端縁および後端縁から取付台６０の下方へ滴下する液体を、傾斜部９１または平面部９２において受け止めることができる。従って、こんろ１は、カバー部９０を用いて、取付台６０の第一突条部６６と壁部８２との間の位置および壁部８２と第二突条部６７との間の位置の前端縁および後端縁から滴下する液体が、筐体２の内部に直接滴下することを防止できる。
【００６６】
こんろ１では、筐体２の内部に電池ケース１４が入りされている。カバー部９０は、電池ケース１４が筐体２の内部において前後に延びる方向に沿って設けられ、電池ケース１４の上方を覆う。カバー部９０は、取付台６０の第一突条部６６と壁部８２との間の位置および壁部８２と第二突条部６７との間の位置の前端縁および後端縁から滴下する液体を受け止め、液体が電池ケース１４に向けて滴下することを防止できる。
【００６７】
第一固定部９１３は傾斜部９１の最上部である前端部に設けられており、第二固定部９３は傾斜部９１から取付台６０の位置まで上方に延びている。このため、作業者は、例えば取付台６０の下方へ手を深く差し入れることなく、第一固定部９１３および第二固定部９３においてカバー部９０を容易に固定できる。カバー部９０は、傾斜部９１において受け止めた液体を、傾斜部９１の傾斜する方向に沿って平面部９２に導くので、傾斜部９１から電池ケース１４に向けて液体が滴下し難く、電池ケース１４に液体が付着し難い。
【００６８】
カバー部９０は傾斜部９１と平面部９２とを備えており、傾斜部９１によって受け止められた液体は、傾斜部９１の傾斜する方向に沿って下方へ流れ、平面部９２に至る。平面部９２には左ガイド部９２１および後ガイド部９２３が設けられているので、平面部９２から配管部２８、電池ケース１４および基板ケース２９の配置される左側壁２３および後壁２４側に向けて液体が滴下し難い。
【００６９】
取付台６０に取付座７０、ガスバーナ５および突出部８０が取り付けられると、突出部８０の折曲部８４の下端８４１が、取付座７０の左端縁に上側から当接する。これにより、取付座７０の左端縁が、取付台６０の上側固定部６２２と突出部８０の折曲部８４の下端８４１とによって上下に挟持される。従って、取付座７０が前後方向に傾きにくくなり、取付座７０に取り付けられた鍋センサ５３、点火電極５４および熱電対５５が、バーナ本体５０に対して精度良く配置される。
【００７０】
本実施形態において、こんろ１が、本発明の「こんろ」に相当する。筐体２が、本発明の「筐体」に相当する。トッププレート３が、本発明の「天板」に相当する。バーナ開口４が、本発明の「バーナ開口」に相当する。右側壁２２および左側壁２３が、本発明の「側壁」に相当する。グリル庫７が、本発明の「グリル庫」に相当する。ガスバーナ５が、本発明の「バーナ」に相当する。バーナ本体５０が、本発明の「バーナ本体」に相当する。バーナヘッド５２が、本発明の「バーナヘッド」に相当する。取付台６０が、本発明の「取付台」に相当する。固定穴６２３，６３３が、本発明の「バーナ固定部」に相当する。突出部８０が、本発明の「突出部」に相当する。壁部８２が、本発明の「立設部」に相当する。折曲部８４が、本発明の「折返部」に相当する。第一突条部６６が、本発明の「第一突条部」に相当する。第二突条部６７が、本発明の「第二突条部」に相当する。第三突条部６８が、本発明の「第三突条部」に相当する。隙間６１６が、本発明の「隙間」に相当する。カバー部９０が、本発明の「受部」に相当する。傾斜部９１が、本発明の「傾斜部」に相当する。平面部９２が、本発明の「面部」に相当する。第一固定部９１３が、本発明の「第一固定部」に相当する。第二固定部９３が、本発明の「第二固定部」に相当する。電池ケース１４が、本発明の「電池ケース」に相当する。取付座７０が、本発明の「取付座」に相当する。
【００７１】
なお、本発明は上記実施形態に限定されるものではなく、種々の変更が可能である。例えば、上記実施形態では、突出部８０は基部８１、壁部８２、上面部８３、折曲部８４を備えているが、例えば上面部８３および折曲部８４を備えない構成であってもよい。この場合であっても、突出部８０は、バーナ開口４から取付台６０へ向けて滴下しようとする液体を壁部８２において受け止め、または、上面６１の液体を壁部８２おいてせき止めることができる。従って、壁部８２よりも取付台６０の左側壁２３側および右側壁２２側の端部に向けて広がりにくくできる。
【００７２】
上記実施形態では、電池ケース１４が左側壁２３に隣接して設けられているが、電池ケース１４の配置はこれに限られず、例えば右側壁２２に隣接して設けられてもよい。この場合、電池ケース１４の配置に応じて、カバー部９０を電池ケース１４の上方を覆う位置に配置してもよい。
【００７３】
上記実施形態では、カバー部９０は傾斜部９１と平面部９２とを備えるが、例えば平面部９２を備えない構成であってもよい。この場合であっても、傾斜部９１が取付台６０から滴下する液体を受け止めることで、電池ケース１４に液体がかかることを防止できる。
【００７４】
上記実施形態において、カバー部９０の第二固定部９３は、左側のガイド部９１２に連設して上方に延びているが、例えば、左側のガイド部９１２に連設して上方に延びて形成されていてもよい。また、第一固定部９１３は、傾斜部９１の前端の左右方向略中央に設けられているが、傾斜部９１の前端部の左部または右部に設けられていてもよい。
【符号の説明】
【００７５】
１    こんろ
２    筐体
３    トッププレート
４    バーナ開口
５    ガスバーナ
７    グリル庫
１４    電池ケース
２２    右側壁
２３    左側壁
５０    バーナ本体
５２    バーナヘッド
６０    取付台
６６    第一突条部
６７    第二突条部
６８    第三突条部
７０    取付座
８０    突出部
８２    壁部
８４    折曲部
９０    カバー部
９１    傾斜部
９１３    第一固定部
９２    平面部
９３    第二固定部
６１６    隙間
６２３，６３３    固定穴
【図１】
0006634245.tif 000002
【図２】
0006634245.tif 000003
【図３】
0006634245.tif 000004
【図４】
0006634245.tif 000005
【図５】
0006634245.tif 000006
【図６】
0006634245.tif 000007
【図７】
0006634245.tif 000008
【図８】
0006634245.tif 000009
【図９】
0006634245.tif 000010
【図１０】
0006634245.tif 000011